(57)【要約】【課題】電力の電圧を最適化するための制御が複雑化する。【解決手段】画像形成装置は、熱源からの熱を電力に変換する電力変換素子と、画像形成装置の動作に関する動作条件または内部の環境に関する環境条件に関する条件情報を取得する取得部と、予め定められた初期値及び前記条件情報に関連付けられて初期値を補正する補正値に基づいて、前記電力変換素子の電圧よりも前記電力を最大値に近づける電圧に制御する制御値を設定する設定部と、を備える。【選択図】図３
2018008383.tif 000002
【特許請求の範囲】
【請求項１】
熱源からの熱を電力に変換する電力変換素子と、
画像形成装置の動作に関する動作条件または内部の環境に関する環境条件に関する条件情報を取得する取得部と、
予め定められた初期値及び前記条件情報に関連付けられて初期値を補正する補正値に基づいて、前記電力変換素子の電圧よりも前記電力を最大値に近づける電圧に制御する制御値を設定する設定部と、
を備える画像形成装置。
【請求項２】
前記条件情報は、前記動作条件として印刷用紙の紙厚及び印刷速度のいずれかを含む請求項１に記載の画像形成装置。
【請求項３】
前記初期値は、前記電力変換素子の搭載位置に関連付けられている請求項１または２に記載の画像形成装置。
【請求項４】
前記設定部は、一の動作の間に前記制御値の設定を繰り返す請求項１から３のいずれか１項に記載の画像形成装置。
【請求項５】
熱源からの熱を電力に変換する電力変換素子を備える画像形成装置の発電方法において、
前記画像形成装置の動作に関する動作条件または内部の環境に関する環境条件に関する条件情報を取得する取得段階と、
予め定められた初期値及び前記条件情報に関連付けられて初期値を補正する補正値に基づいて、前記電力変換素子の電圧よりも前記電力を最大値に近づける電圧に制御する制御値を設定する設定段階と、
を備える発電方法。
【請求項６】
熱源からの熱を電力に変換する電力変換素子を備える画像形成装置のコンピュータに、
前記画像形成装置の動作に関する動作条件または内部の環境に関する環境条件に関する条件情報を取得する取得機能と、
予め定められた初期値及び前記条件情報に関連付けられて初期値を補正する補正値に基づいて、前記電力変換素子の電圧よりも前記電力を最大値に近づける電圧に制御する制御値を設定する設定機能と、
を実現させるプログラム。
【発明の詳細な説明】
【技術分野】
【０００１】
本発明は、画像形成装置、発電方法及びプログラムに関する。
【背景技術】
【０００２】
従来、熱電変換素子によって装置内部の排熱を電気に回生する画像形成装置が知られている。このような画像形成装置は、熱を電気に回生する際に熱電変換素子の出力を最適化する電流×電圧の値である最大電力点または最適動作点を自動で算出する制御装置を有する。
【発明の概要】
【発明が解決しようとする課題】
【０００３】
しかしながら、上述の画像形成装置の制御装置は、電力変換素子の開放電圧から最大電力点を設定するので、電力変換素子の開放電圧を測定する必要があり、電力の電圧を最適化するための制御が複雑化するといった課題がある。
【課題を解決するための手段】
【０００４】
上述した課題を解決し、目的を達成するために、本発明の画像形成装置は、熱源からの熱を電力に変換する電力変換素子と、画像形成装置の動作に関する動作条件または内部の環境に関する環境条件に関する条件情報を取得する取得部と、予め定められた初期値及び前記条件情報に関連付けられて初期値を補正する補正値に基づいて、前記電力変換素子の電圧よりも前記電力を最大値に近づける電圧に制御する制御値を設定する設定部と、を備える。
【発明の効果】
【０００５】
本発明によれば、電力の電圧を最適化するための制御を簡略化できるという効果を奏する。
【図面の簡単な説明】
【０００６】
【図１】図１は、第１実施形態の発電装置が設けられた画像形成装置の全体構成を示すブロック図である。
【図２】図２は、第１実施形態の画像形成装置の外観図である。
【図３】図３は、発電装置の制御系の機能を説明するブロック図である。
【図４】図４は、制御部による発電制御処理のフローチャートである。
【図５】図５は、電力変換素子の電圧と電力の関係を示すグラフである。
【図６】図６は、電力変換素子の電圧と電流の関係を示すグラフである。
【図７】図７は、ＰＷＭ制御のＤｕｔｙ比の初期値と電力変換素子の搭載位置とを関連付けた初期値テーブルの一例である。
【図８】図８は、印刷の３つの速度モードと速度用重みとを関連付けた速度用重みテーブルの一例である。
【図９】図９は、印刷用紙の紙厚と紙厚用重みとを関連付けた紙厚用重みテーブルの一例である。
【図１０】図１０は、画像形成装置の内部の温度に対応する環境と環境用重みとを関連付けた環境用重みテーブルの一例である。
【図１１】図１１は、温度差と温度差用重みと関連付けた温度差用重みテーブルの一例である。
【図１２】図１２は、画像形成装置の動作時間と時間用重みとを関連付けた時間用重みテーブルの一例である。
【発明を実施するための形態】
【０００７】
以下の例示的な実施形態等の同様の構成要素には共通の符号を付与して、重複する説明を適宜省略する。
【０００８】
＜第１実施形態＞
図１は、第１実施形態の発電装置１０が設けられた画像形成装置１２の全体構成を示すブロック図である。図１に示すように、画像形成装置１２は、発電装置１０と、熱源１４と、冷却部１６と、操作部１７と、遠隔操作部１８とを備える。発電装置１０は、電力変換素子２０と、湿度検知素子２２、２４と、温度検知素子２６、２８と、電源制御部３０と、エンジン制御部３２とを備える。尚、熱源１４、操作部１７、及び、遠隔操作部１８は、発電装置１０の構成であってもよい。
【０００９】
電力変換素子２０は、熱源１４からの熱を電力に変換する熱電変換素子である。電力変換素子２０は、両端または両面の温度差により起電力を生じさせるゼーベック効果による電圧を電源制御部３０へ出力する。例えば、電力変換素子２０の一方の面（温度が高い面）であるホット面２０ａは、画像形成装置１２の熱源１４の近傍に配置される。熱源１４の一例は、画像形成装置１２の印刷に用いられるモータまたはヒータ等である。電力変換素子２０の他方の面（温度が低い面）であるコールド面２０ｂは、画像形成装置１２の冷却部１６の近傍に配置される。冷却部１６の一例は、画像形成装置１２の放熱板、冷却ファン及びエアーコンディショナ等である。電力変換素子２０は、ホット面２０ａとコールド面２０ｂとの温度差によって生じさせた電力を電源制御部３０へ出力する。
【００１０】
湿度検知素子２２は、熱源１４の周囲の湿度を検知して、エンジン制御部３２へ送信する。湿度検知素子２４は、発電装置１０が設けられた画像形成装置１２の内部の湿度を検知して、エンジン制御部３２へ送信する。
【００１１】
温度検知素子２６は、熱源１４の周囲の温度を検知して、エンジン制御部３２へ送信する。温度検知素子２８は、発電装置１０が設けられた画像形成装置１２の内部の温度を検知して、エンジン制御部３２へ送信する。
【００１２】
電源制御部３０は、電力変換素子２０が出力した電力の電圧を調整（例えば、昇圧）して負荷１９に供給する。電源制御部３０は、電力回生部３４と、負荷供給部３６とを有する。電力回生部３４は、電力変換素子２０から電力を受電する。電力回生部３４は、電力を負荷供給部３６へ出力する。負荷供給部３６は、電力回生部３４から受電した電力を負荷１９へ供給する。
【００１３】
エンジン制御部３２は、発電装置１０及び画像形成装置１２の制御全般を司る。エンジン制御部３２は、ＩＯ制御部３８と、ＣＰＵ４０と、ＲＡＭ４２と、ＲＯＭ４４と、バス４６とを有する。
【００１４】
ＩＯ制御部３８は、エンジン制御部３２と他の構成との通信を司る。ＩＯ制御部３８は、通信部４８と、湿度検知部５０と、温度検知部５２と、冷却制御部５４とを有する。通信部４８は、操作部１７及び遠隔操作部１８等から送信される操作指示を受け付けて、ＣＰＵ４０へ送信する。湿度検知部５０は、湿度検知素子２２、２４から取得した湿度の情報をＣＰＵ４０へ送信する。温度検知部５２は、温度検知素子２６、２８から取得した温度の情報をＣＰＵ４０へ送信する。冷却制御部５４は、ＣＰＵ４０から取得した冷却指示に基づいて、冷却ファン等の冷却部１６を制御する。
【００１５】
ＣＰＵ４０は、Central  Processing  Unitと呼ばれるプロセッサ（即ち、演算処理装置）である。ＣＰＵ４０は、ＲＯＭ４４等に格納されたプログラム等に基づいて、発電装置１０及び画像形成装置１２の制御全般を司る。例えば、ＣＰＵ４０は、ＭＰＰＴ（Maximum  Power  Point  Tracking：最大電力点追従）による発電制御用のプログラムを読み込んで、発電装置１０を制御する。
【００１６】
ＲＡＭ４２は、Random  Access  Memoryと呼ばれる記憶装置である。ＲＡＭ４２は、情報の高速な読み書きが可能な揮発性の記憶媒体である。ＲＡＭ４２は、ＣＰＵ４０が情報を処理する際の作業領域として用いられ、ＣＰＵ４０がプログラムの実行時にプログラムを展開するとともに、プログラムの実行に必要なパラメータ等を一時的に格納する。
【００１７】
ＲＯＭ４４は、Read  Only  Memoryと呼ばれる記憶装置である。ＲＯＭ４４は、読み出し専用の不揮発性記憶媒体であり、ファームウェア及び発電制御処理等のプログラム及びプログラムの実行に必要なパラメータ等を格納する。
【００１８】
操作部１７は、画像形成装置１２の印刷指示または複写指示等の操作及び設定変更等の操作指示をユーザから受け付ける。操作部１７の一例は、タッチパネルである。操作部１７は、受け付けた操作指示をエンジン制御部３２の通信部４８へ送信する。
【００１９】
遠隔操作部１８は、例えば、画像形成装置１２と通信可能なリモートコントローラまたはパーソナルコンピュータ等である。遠隔操作部１８は、ユーザの操作指示を画像データ等と合わせて、エンジン制御部３２の通信部４８へ送信する。
【００２０】
図２は、第１実施形態の画像形成装置１２の外観図である。図２に示す画像形成装置１２は、例えば、スキャナ機能、複写機能、ファクシミリ機能、及び、印刷機能等の複数の機能を有する複合機（ＭＦＰ：Multi-Function  Printer）である。画像形成装置１２は、複写機本体部６０と、ＡＤＦ（Auto  Document  Feeder）とも呼ばれる自動原稿送り装置６２と、ステープラ及びシフトトレイ付きのフィニッシャ６４と、両面反転ユニット６６と、拡張給紙トレイ６８と、ＬＣＴとも呼ばれる大容量給紙トレイ７０と、１ビン排紙トレイ７２と、インサートフィーダ７４とを備える。複写機本体部６０は、スキャナ部、書き込み部、感光体、現像部、給紙部、転写部及び発電装置１０等を有する。
【００２１】
図３は、発電装置１０の制御系の機能を説明するブロック図である。図３に示すように、冷却部１６は、放熱板７６と、冷却ファン７８とを有する。放熱板７６は、電力変換素子２０のコールド面２０ｂにグリス等を介して設置される。冷却ファン７８は、放熱板７６へ送風する。尚、冷却部１６は、冷却ファン７８に代えて、水冷装置またはエアーコンディショナ等を有してもよい。
【００２２】
熱源１４は、電力変換素子２０のホット面２０ａにグリス等を介して設置されたモータまたはヒータである。
【００２３】
電源制御部３０は、昇圧回路８０の機能を有する。昇圧回路８０は、エンジン制御部３２からの電圧制御指示に基づいて、電力変換素子２０から受電した電力の電圧を調整して、負荷１９へ出力する。
【００２４】
エンジン制御部３２は、制御部８２と、メモリ８４とを有する。
【００２５】
制御部８２は、ＣＰＵ４０の機能である。制御部８２は、画像形成装置１２を制御する。例えば、制御部８２は、冷却制御部５４を介して、冷却ファン７８の回転数等を制御する。制御部８２は、予め定められてメモリ８４に格納されたパラメータに基づいて、最大電力を取り出せるように電源制御部３０による電力の電圧を最適値（または最大効率点）になるように調整して制御する。制御部８２は、取得部８６と、設定部８８とを有する。制御部８２は、メモリ８４に格納された発電制御処理用プログラムを読み込んで、取得部８６及び設定部８８として機能する。取得部８６及び設定部８８の少なくとも一部は、ＡＳＩＣ（Application  Specific  Integrated  Circuit）等のハードウェアによって構成してもよい。
【００２６】
実施形態の発電装置１０が実行する発電制御処理用プログラムは、上述した各部（取得部８６及び設定部８８）を含むモジュール構成となっている。実際のハードウェアとしては制御部８２としてのＣＰＵ４０が、メモリ８４としてのＲＯＭ４４から発電制御処理用プログラムを読み出して実行することにより、上記各部が主記憶装置上にロードされる。これにより、取得部８６及び設定部８８が主記憶装置上に生成されて、これらの機能がコンピュータに実現されるようになっている。
【００２７】
例えば、本実施の形態の発電装置１０で実行される発電制御処理用プログラムは、ＲＯＭ４４等に予め組み込まれて提供される。実施形態の発電装置１０で実行される発電制御処理用プログラムは、インストール可能な形式又は実行可能な形式のファイルでＣＤ−ＲＯＭ、フレキシブルディスク（FD）、ＣＤ−Ｒ、ＤＶＤ（Digital  Versatile  Disk）等のコンピュータで読み取り可能な記録媒体に記録して提供するように構成してもよい。
【００２８】
さらに、本実施の形態の発電装置１０で実行される発電制御処理用プログラムを、インターネット等のネットワークに接続されたコンピュータ上に格納し、ネットワーク経由でダウンロードさせることにより提供するように構成しても良い。また、実施形態の発電装置１０で実行される発電制御処理用プログラムをインターネット等のネットワーク経由で提供または配布するように構成しても良い。
【００２９】
取得部８６は、動作条件及び環境条件等の条件に関する情報であり、制御値を設定するための条件情報を取得する。動作条件は、画像形成装置１２の動作に関する情報を含む。例えば、動作条件は、画像形成装置１２が印刷動作、複写動作またはスキャナ動作をしていること及び各動作に関する印刷用紙の紙厚及び印刷速度等の情報を含む。環境条件とは、画像形成装置１２の内部の環境に関する情報を含む。例えば、環境条件は、画像形成装置１２の内部の温度及び湿度、及び、画像形成装置１２の内部の熱源１４の近傍の温度及び湿度等の情報を含む。取得部８６は、動作条件に基づいて、画像形成装置１２の印刷動作及び複写動作等の動作を判定する。取得部８６は、発電制御処理においてＭＰＰＴ制御が必要か否かを判定する。取得部８６は、取得した条件情報及び判定結果を設定部８８へ出力する。
【００３０】
設定部８８は、取得部８６がＭＰＰＴ制御を必要と判定した場合、予め定められた初期値及び取得部８６から取得した条件情報に関連付けられた重みであって初期値を補正する重みに基づいて、ＭＰＰＴ制御に必要な制御値であって、電力変換素子２０の電圧よりも電力を最大値に近づける電圧に制御する制御値を設定する。設定部８８は、一の印刷動作等の動作の間に制御値の設定を繰り返すことが好ましい。
【００３１】
メモリ８４は、ＲＯＭ４４及びＲＡＭ４２の機能の一例である。メモリ８４は、初期値テーブル９０及び１または複数の重みテーブル９２を格納する。初期値テーブル９０及び１または複数の重みテーブル９２は、インターネット等のネットワーク上の記憶装置に格納されていてもよい。
【００３２】
初期値テーブル９０は、予め定められた制御値の初期値を含む。例えば、初期値テーブル９０は、電力変換素子２０の搭載位置と関連付けられた制御値の初期値を含む。
【００３３】
重みテーブル９２は、予め定められた条件情報に関連付けられた重みを含む。重みは、初期値を補正するための補正値であり、初期値に掛けられる値である。例えば、重みテーブル９２は、印刷動作または複写動作の動作条件または画像形成装置１２の内部の温度等の環境条件と、重みとを関連付けている。
【００３４】
図４は、制御部８２による発電制御処理のフローチャートである。制御部８２は、メモリ８４に格納された発電制御用のプログラムを読み込むことにより、発電制御処理を実行する。発電制御処理は、発電方法の一例である。
【００３５】
図４に示すように、発電制御処理では、取得部８６は、印刷動作及び複写動作等の動作を開始したか否かを判定する（Ｓ１０２）。取得部８６は、動作を開始していない場合（Ｓ１０２：Ｎｏ）、ステップＳ１０２を繰り返す。
【００３６】
取得部８６は、動作を開始していると判定すると（Ｓ１０２：Ｙｅｓ）、メモリ８４に格納されている動作条件を取得する（Ｓ１０４）。例えば、取得部８６は、メモリ８４に格納されている印刷用紙の紙厚及び印刷速度の速度モード等の印刷条件を動作条件として取得して、設定部８８へ出力する。
【００３７】
取得部８６は、ＭＰＰＴ制御が必要か否かを判定する（Ｓ１０６）。取得部８６は、ＭＰＰＴ制御が不要と判定すると（Ｓ１０６：Ｎｏ）、発電制御処理を終了する。取得部８６は、ＭＰＰＴ制御が必要と判定すると（Ｓ１０６：Ｙｅｓ）、当該判定結果を設定部８８へ出力する。
【００３８】
取得部８６は、ＭＰＰＴ制御が必要と判定すると、ＭＰＰＴ制御の制御値の設定に必要な温度及び湿度等の環境条件に関する条件情報を取得して、設定部８８へ出力する。具体的には、取得部８６は、画像形成装置１２の内部の湿度及び温度を、湿度検知部５０及び温度検知部５２を介して、湿度検知素子２２及び温度検知素子２６から取得する（Ｓ１０８）。設定部８８は、熱源１４の湿度及び温度を、湿度検知素子２２及び温度検知部５２を介して、湿度検知素子２４及び温度検知素子２８から取得する（Ｓ１１０）。
【００３９】
設定部８８は、動作条件と、湿度及び温度等の環境条件とを含む条件情報に関連付けられた初期値及び重みに基づいて、最適なＭＰＰＴ制御の制御値を設定して、ＭＰＰＴ制御を実行する（Ｓ１１２）。設定部８８は、印刷動作等の動作が完了したか否かを判定する（Ｓ１１４）。設定部８８は、動作が完了していないと判定すると（Ｓ１１４：Ｎｏ）、ステップＳ１０８以降を繰り返す。換言すれば、設定部８８は、一の印刷動作等の動作の間に制御値の設定を繰り返す。設定部８８は、印刷動作等の動作が完了したと判定すると（Ｓ１１４：Ｙｅｓ）、ＭＰＰＴ制御の制御値を初期化して（Ｓ１１６）、発電制御処理を終了する。
【００４０】
図５は、電力変換素子２０の電圧と電力の関係を示すグラフである。図５に示すように、電力変換素子２０が出力する電圧と電力の関係は、電力変換素子２０のホット面２０ａとコールド面２０ｂとの温度差によって変化する。各温度差における最大の電力は、ピークの値である。最大の電力を出力するための電圧は、ピークを通る点線で示すように、当該温度差によって変化する。
【００４１】
図６は、電力変換素子２０の電圧と電流の関係を示すグラフである。図６に示すように、電力変換素子２０が出力する電圧と電流の関係は、電力変換素子２０のホット面２０ａとコールド面２０ｂとの温度差によって変化する。
【００４２】
設定部８８は、図７から図１２に示す各テーブルが有するＤｕｔｙ比の初期値及び重みに基づいて、最大の電力を出力する電圧に近づけるためのＭＰＰＴ制御の制御値を算出して設定する。設定部８８は、当該電圧に基づいて電源制御部３０を制御して、最大の電力を出力させる。例えば、設定部８８は、最大の電力を出力する電圧にするための電源制御部３０の昇圧回路８０のＤｕｔｙ比を制御値として設定する。
【００４３】
図７は、ＰＷＭ制御のＤｕｔｙ比の初期値と電力変換素子２０の搭載位置とを関連付けた初期値テーブル９０の一例である。図８は、印刷の３つの速度モードと速度用重みとを関連付けた速度用重みテーブル９２ａの一例である。図９は、印刷用紙の紙厚と紙厚用重みとを関連付けた紙厚用重みテーブル９２ｂの一例である。速度モード及び紙厚は、動作条件の一例である。図１０は、画像形成装置１２の内部の温度に対応する環境と環境用重みとを関連付けた環境用重みテーブル９２ｃの一例である。図１１は、温度差と温度差用重みと関連付けた温度差用重みテーブル９２ｄの一例である。図１１に示す温度差は、図１０における環境判定用の温度と温度検知素子２６、２８が検知した温度との差のことである。図１２は、画像形成装置１２の動作時間と時間用重みとを関連付けた時間用重みテーブル９２ｅの一例である。温度、湿度及び動作時間は、環境条件の一例である。
【００４４】
設定部８８は、制御対象の電力変換素子２０の搭載位置に対応するＤｕｔｙ比の初期値を、図７に示す初期値テーブル９０から取得する。設定部８８は、搭載位置に関する情報をメモリ８４から取得してもよい。設定部８８は、最適値に近づけるために初期値に掛けて補正する重みを、図８から図１２に示す重みテーブル９２から取得する。例えば、設定部８８は、印刷動作において設定された印刷の速度モードに対応する速度用重みを、図８に示す速度用重みテーブル９２ａから取得する。設定部８８は、印刷動作において設定された紙厚に対応する紙厚用重みを、図９に示す紙厚用重みテーブル９２ｂから取得する。設定部８８は、温度検知素子２６によって検知された画像形成装置１２の内部の温度が示す環境に対応する環境用重みを、図１０に示す環境用重みテーブル９２ｃから取得する。設定部８８は、温度差に対応する温度差用重みを、図１１に示す温度差用重みテーブル９２ｄから取得する。設定部８８は、動作時間に対応する時間用重みを、図１２に示す時間用重みテーブル９２ｅから取得する。設定部８８は、初期値に各重みを掛けて算出した値を制御値として設定する。
【００４５】
表１は、設定部８８が算出する制御値の設定の一例を示す第１設定例のテーブルある。
【表１】
2018008383.tif 000003
【００４６】
表１に示す第１設定例において、設定部８８は、初期値として、“定着”に対応する初期値として３０％を初期値テーブル９０から取得する。次に、設定部８８は、“中速”の速度モードに対応する速度用重みとして“１．０”を速度用重みテーブル９２ａから取得する。尚、重みが“１．０”である場合、当該条件による初期値の補正がないことを意味する。設定部８８は、“３”の紙厚に対応する紙厚用重みとして“１．１”を紙厚用重みテーブル９２ｂから取得する。設定部８８は、“普通”の環境に対応する環境用重みとして“１．０”を環境用重みテーブル９２ｃから取得する。設定部８８は、“−５℃以下−１０℃未満”の温度差に対応する温度差用重みとして“１．１”を温度差用重みテーブル９２ｄから取得する。設定部８８は、“５０００時間以上１００００時間未満”の動作時間に対応する時間用重みとして“０．９”を時間用重みテーブル９２ｅから取得する。設定部８８は、次の式のように、初期値に各重みを掛けて算出した３２．７％のＤｕｔｙ比を第１設定例の制御値として設定する。
３２．７＝３０×１．０×１．１×１．０×１．１×０．９
【００４７】
表２は、設定部８８が算出する制御値の設定の一例を示す第２設定例のテーブルある。
【表２】
2018008383.tif 000004
表２に示す第２設定例において、設定部８８は、初期値として５０％を初期値テーブル９０から取得する。設定部８８は、各条件の重みとして、“０．９”、“０．８”、“０．８”、“１．０”、“１．０”を各重みテーブル９２から取得する。設定部８８は、次の式のように、初期値に各重みを掛けて算出した２８．８％のＤｕｔｙ比を第２設定例の制御値として設定する。
２８．８＝５０×０．９×０．８×０．８×１．０×１．０
【００４８】
表３は、設定部８８が算出する制御値の設定の一例を示す第３設定例のテーブルある。
【表３】
2018008383.tif 000005
表３に示す第３設定例において、設定部８８は、初期値として８０％を初期値テーブル９０から取得する。設定部８８は、各条件の重みとして、“１．１”、“１．２”、“１．２”、“０．９”、“０．８”を各重みテーブル９２から取得する。設定部８８は、次の式のように、初期値に各重みを掛けて算出した８１．１％のＤｕｔｙ比を第３設定例の制御値として設定する。
９１．２＝８０×１．１×１．２×１．２×０．９×０．８
【００４９】
上述したように、画像形成装置１２の発電装置１０は、予め定められた初期値及び重みに基づいて、電力の電圧を最適値に近づけるための制御値を設定することができるので、電力変換素子２０の開放電圧等の測定処理を省略することができる。これにより、画像形成装置１２は、電力の電圧を最適化するための制御を簡略化して、測定するための構成に要する部品コスト及び時間を低減することができる。
【００５０】
上述の実施形態の各構成の機能、個数、配置、接続関係等は適宜変更してよい。また、各テーブルにおける関連付けは適宜変更してよい。
【００５１】
上述の実施形態では、温度と関連付けられた重みを用いた制御値の算出を例に示したが、温度または湿度と関連付けられた重み等を用いて制御値を算出してもよい。
【００５２】
上述の実施形態では、最大の電力を出力するために電圧と電力との関係に基づいて制御値を設定する例を説明したが、最大の電力を出力するために電圧と電流との関係に基づいて制御値を設定してもよい。
【００５３】
上記実施形態では、本発明の画像形成装置１２を、複写機能、印刷機能、スキャナ機能およびファクシミリ機能のうち少なくとも２つの機能を有する複合機に適用した例を挙げて説明したが、複写機、プリンタ、スキャナ装置、ファクシミリ装置等の画像形成装置であればいずれにも適用することができる。
【符号の説明】
【００５４】
１０…発電装置
１２…画像形成装置
１４…熱源
２０…電力変換素子
８２…制御部
８４…メモリ
８６…取得部
８８…設定部
９０…初期値テーブル
９２…重みテーブル
９２ａ…速度用重みテーブル
９２ｂ…紙厚用重みテーブル
９２ｃ…環境用重みテーブル
９２ｄ…温度差用重みテーブル
９２ｅ…時間用重みテーブル
【先行技術文献】
【特許文献】
【００５５】
【特許文献１】特開２０１５−４９２９９号公報
【図１】
2018008383.tif 000006
【図２】
2018008383.tif 000007
【図３】
2018008383.tif 000008
【図４】
2018008383.tif 000009
【図５】
2018008383.tif 000010
【図６】
2018008383.tif 000011
【図７】
2018008383.tif 000012
【図８】
2018008383.tif 000013
【図９】
2018008383.tif 000014
【図１０】
2018008383.tif 000015
【図１１】
2018008383.tif 000016
【図１２】
2018008383.tif 000017